(57)【特許請求の範囲】
【請求項１】
対向する２つの主壁（１０）を、左右の側壁（３０）と底壁（４０）と天壁で連結して構成され、２つの主壁（１０）および左右の側壁（３０）を周回する破断開封部（８０）を有する箱体であって、
（ｉ）左右の側壁（３０）には、
箱体底辺（Ａ）と平行に側壁下方折罫（３１）および側壁上方折罫（３２）が形成され、
（ii）各主壁（１０）には、
側壁下方折罫（３１）の端部から箱体底辺（Ａ）に平行に内方に延びる、左右２つの主壁下方折罫（１１）と、
左右の主壁下方折罫（１１）の内端を結ぶ主壁中央折罫（１４）と、
側壁上方折罫（３２）の端部から箱体底辺（Ａ）に平行に、主壁下方折罫（１１）よりも長い距離をもって内方に延びる、左右２つの主壁上方折罫（１２）と、
各主壁上方折罫（１２）の内端から、箱体底辺（Ａ）に対して略垂直に上方へ延びる垂直折罫（１５）と、
主壁の下方コーナ部（Ｂ）と主壁下方折罫（１１）の内端とを結ぶ、左右２つの第１傾斜折罫（２１）と、
主壁下方折罫（１１）の内端と側壁上方折罫（３２）の端部とを結ぶ、左右２つの第２傾斜折罫（２２）と、
主壁下方折罫（１１）の内端と主壁上方折罫（１２）の内端とを結ぶ、左右２つの第３傾斜折罫（２３）と、が形成され、
上記破断開封部（８０）を破り開けた状態で、左右の側壁（３０）を側壁下方折罫（３１）の部位において箱体内方に向かって押し込むと、対向する２つの主壁（１０）の間隔が大きくなるとともに、垂直折罫（１５）に折り目が入ることで、破り開けた開口部においても２つの主壁（１０）の間隔が大きくなって当該開口部が略楕円形に開口した状態が維持され、
上記主壁中央折罫（１４）に折り目が入ることで、箱体底部においても２つの主壁の間隔が大きくなって箱体の接地面積が大きくなった状態が維持される、ことを特徴とする箱体。
【請求項２】
上記主壁中央折罫（１４）が上方に膨出するアーチ状に湾曲している、請求項１記載の箱体。
【請求項３】
上記各主壁（１０）には、
左右の主壁下方折罫（１１）の内端を結ぶ主壁中央第２折罫（１４ａ）をさらに備えており、当該主壁中央第２折罫（１４ａ）が下方に膨出するアーチ状に湾曲しているとともに、
当該主壁中央第２折罫（１４ａ）の湾曲頂部に、下方に膨出するようにアーチ状に湾曲した切込み（２５）が形成されており、主壁中央第２折罫（１４ａ）に折り目が入ったとき、当該切込み（２５）で規定される安定フラップ（２５ａ）が立ち上がって、箱体の起立状態を安定させる、請求項２記載の箱体。
【請求項４】
上記各主壁（１０）には、主壁中央折罫（１４）の両端から略垂直に下ろした第２垂直折罫（１６）が左右に２つ形成されていて、
上記底壁（４０）には、第２垂直折罫（１６）の下端を結ぶ底壁折罫（４１）が左右に２つ形成されている、請求項１〜３のいずれか１つに記載の箱体。
【発明の詳細な説明】
【技術分野】
【０００１】
本発明は、インスタント食品を封入したパウチを収容する箱体（外箱）に関する。
【背景技術】
【０００２】
例えば、電子レンジで加熱するだけで喫食できるインスタント食品（調理済みのカレーソース等）を収容したパウチを、さらに箱体内に保持して、これを箱ごと電子レンジに投入して調理するようにしたものが、従来から知られている。
【０００３】
パウチをさらに箱体内に保持する意味は、パウチだけでは自立性（スタンド特性）が不十分なので、これを補助するためである。パウチには、底部に襠部を設けて自立性を高めたものも存在するが、それでも、パウチ単体では自立性が十分とは言えない。パウチは、電子レンジに投入する前に破袋を防ぐために袋の一部を開封しておいたり、内圧によってシール部が後退して蒸気が放出される蒸気排出部を有しているので、もしパウチが倒れると、内容物の流出や、レンジ内を汚すといった問題が生じる。
そのような問題を防ぐため、箱体を利用してパウチの自立性を高めている。
【０００４】
特許文献１に開示された箱体では、箱本体の背面に支柱のごとき支持構造体を設けており、そのため、箱体を構成するブランクが複雑となり、コストアップを招く。また、これを使用する消費者にとっても、煩雑な組み立て工程が必要となって、煩わしい。
【０００５】
一方、特許文献２には、箱体の底部付近において側壁を内部に押し込むことで、箱体の底部が拡がり、これにより自立性を高めることのできる箱体が開示されている。しかし、この箱体では、電子レンジでの加熱調理時におけるパウチの自立性は確保されるものの、箱体の上方開口周辺部は依然としてパウチを幅狭の状態に挟持している。すなわち、加熱後に喫食するにあたって、パウチ内の食材を皿や丼鉢等、他の食器類に移し代える必要がある。
【０００６】
【特許文献１】特開平１１-２４０５８２号公報
【特許文献２】特開２００２-１２２７４号公報
【発明の開示】
【発明が解決しようとする課題】
【０００７】
上記従来の事情に鑑み、本発明の目的は、パウチを収容する箱体であって、パウチ内の食材を他の食器に移し代えることなく、パウチをそのまま箱体内に保持したまま喫食を可能とする箱体を提供することである。
【課題を解決するための手段】
【０００８】
本発明の箱体は、対向する２つの主壁を、左右の側壁と底壁と天壁で連結して構成され、２つの主壁および左右の側壁を周回する破断開封部を有する。
【０００９】
左右の側壁には、箱体底辺と平行に「側壁下方折罫」および「側壁上方折罫」が形成されている。
【００１０】
各主壁（１０）には、「主壁下方折罫」、「主壁中央折罫」、「主壁上方折罫」、「垂直折罫」、「第１傾斜折罫」、「第２傾斜折罫」、「第３傾斜折罫」が形成されている。
「主壁下方折罫」は、側壁下方折罫の端部から箱体底辺に平行に内方に延びていて、左右に２つ存在する。
「主壁中央折罫」は、左右の主壁下方折罫の内端を結んで延在している。
「主壁上方折罫」は、側壁上方折罫の端部から箱体底辺に平行に、主壁下方折罫よりも長い距離をもって内方に延びていて、左右に２つ存在する。
「垂直折罫」は、各主壁上方折罫の内端から、箱体底辺に対して略垂直に上方へ延びている。
「第１傾斜折罫」は、「主壁の下方コーナ部」と「主壁下方折罫の内端」とを結んで延びていて、左右に２つ存在する。
「第２傾斜折罫」は、「主壁下方折罫の内端」と「側壁上方折罫の端部」とを結んで延びていて、左右に２つ存在する。
「第３傾斜折罫」は、「主壁下方折罫の内端」と「主壁上方折罫の内端」とを結んで延びていて、左右に２つ存在する。
【００１１】
本発明でいう“折罫”とは、これに沿って折り目を入れ易いようにライン状に強度を弱めた構成を意味する。代表的には、横断面で見たときに溝状に凹んだ構成（押し罫とも呼ばれる）であるが、その他にも、ミシン罫（ブランクを貫通する切込みを断続的にライン状に配置したもの）や、リード罫（ブランクを貫通する切込みと押し罫とを交互にライン状に配置したもの）等が含まれる。これらに限らず、ライン状に強度を弱めて折り易くした構成であれば、本発明でいう“折罫”に含まれる。
【００１２】
上記破断開封部を破り開けた状態で、左右の側壁を側壁下方折罫の部位において箱体内方に向かって押し込むと、対向する２つの主壁の間隔が大きくなるとともに、垂直折罫に折り目が入ることで、破り開けた開口部においても２つの主壁の間隔が大きくなって当該開口部が略楕円形に開口した状態が維持される。
さらに、上記主壁中央折罫に折り目が入ることで、箱体底部においても２つの主壁の間隔が大きくなって箱体の接地面積が大きくなった状態が維持される。
【発明の効果】
【００１３】
以上のように構成された本発明の箱体においては、破断開封部を破って開口した状態において、側壁を押し込み、底壁を押し上げ、各折罫に適宜の折り目を入れると、箱体の接地面積が大きくなって自立性が高まった状態を維持できる。さらに、破断開封部を破ることで現れた開口も大きく開いた状態に維持される。
つまり、簡単な手順で、上部が大きく開口し、かつ自立性の高い形態へと変化させることができる。したがって、食材を封入したパウチをこの箱体に収容して販売すれば、消費者は、箱体内にパウチを保持したまま、電子レンジに投入して加熱調理し、そのまま他の容器に移し代えることなく喫食できる。あるいは、調理が必要でない食材であれば、単にパウチを開封した上でこれを箱体に保持して、喫食することが可能となる。
【発明を実施するための最良の形態】
【００１４】
本発明の実施形態を添付の図面を参照して以下に詳細に説明する。
≪第１実施形態：図１〜図７≫
図１は、本発明の第１実施形態に係る箱体１００の下方斜視図である。図２は、箱体１００の正面図である。
【００１５】
≪箱体１００の構成≫
箱体は、対向する２つの主壁１０を、左右の側壁３０と底壁４０と天壁で連結して構成される６面体であって、代表的には、１枚のブランク紙から組み立てられる。主壁１０および側壁３０については、一方のみを図示しているが、反対側の主壁および側壁も同じ構成である。
また、天壁は図示していないが、紙箱の分野において一般に知られた通常の構成を有する。箱体は、２つの主壁１０および左右の側壁３０を周回する破断開封部８０を有しており、これを破り取って開封する。図示した例では、破断開封部８０は、対向する２つの破断線で囲まれた細長い領域を破り取るジッパとして構成されている。しかし、本発明においては、２つの主壁１０および左右の側壁３０を周回して開封できる構造であれば、適宜の構成を任意に採用できる。
【００１６】
次に、各壁面に設けた折罫について説明する。図１および図２に現れない反対側の主壁および側壁にも、以下に説明するのと同じ折罫が設けられている。
なお、“折罫”とは、これに沿って折り目を入れ易いようにライン状に強度を弱めた構成を意味する。代表的には、横断面で見たときに溝状に凹んだ構成（押し罫とも呼ばれる）であるが、その他にも、ミシン罫（ブランクを貫通する切込みを断続的にライン状に配置したもの）や、リード罫（ブランクを貫通する切込みと押し罫とを交互にライン状に配置したもの）等が含まれる。これらに限らず、ライン状に強度を弱めて折り易くした構成であれば、適宜の構成を採用することができる。
【００１７】
≪左右の側壁３０に設けた折罫≫
側壁３０には、箱体底辺Ａと平行に側壁下方折罫３１および側壁上方折罫３２が形成されている（図１）。
【００１８】
≪対向する２つの主壁１０に設けた折罫≫
主壁下方折罫１１は、箱体底辺Ａに平行に、側壁下方折罫３１の端部から所定距離だけ内方に延びている。この主壁下方折罫１１は、左右２つ形成されている。
主壁中央折罫１４は、左右の主壁下方折罫１１の内端を結んで延びている。図示した例では、主壁中央折罫１４は、上方に膨出するアーチ状に湾曲しているが、直線状等、他の形状を採用することも可能である。
主壁上方折罫１２は、箱体底辺Ａに平行に、側壁上方折罫３２の端部から主壁下方折罫１１よりも長い距離をもって内方に延びている。すなわち、主壁上方折罫１２は、主壁下方折罫１１よりも長く、内方側へとより深く延在している。この主壁上方折罫１２は、左右２つ形成されている。
垂直折罫１５は、各主壁上方折罫１２の内端から、箱体底辺Ａに対して略垂直に上方へ延在している。
第１傾斜折罫２１は、主壁１０の下方コーナ部Ｂと、主壁下方折罫１１の内端と、を結んで延在している。第１傾斜折罫２１は、左右２つ形成されている。
第２傾斜折罫２２は、主壁下方折罫１１の内端と、側壁上方折罫３２の端部と、を結んで延在している。第２傾斜折罫２２は、左右２つ形成されている。
第３傾斜折罫２３は、主壁下方折罫１１の内端と、主壁上方折罫１２の内端と、を結んで延在している。第３傾斜折罫２３は、左右２つ形成されている。
第２垂直折罫１６は、主壁中央折罫１４の両端から、箱体底辺Ａに向かって略垂直に下ろすように形成されている。第２垂直折罫（１６）は、左右に２つ形成されている。
【００１９】
≪底壁４０に設けた折罫≫
底壁４０には、第２垂直折罫１６の下端を結ぶ底壁折罫４１が左右に２つ形成されている（図１）。
【００２０】
≪箱体使用時における各折罫の作用≫
次に、箱体１００の具体的な使用方法と、それに関連した各折罫の作用を説明する。
まず最初に、箱体１００の中央よりもやや上部に位置するジッパ部（破断開封部）８０を破り開ける。これにより、図３に示したように、内部のパウチＰの上部が部分的に露出する。
【００２１】
これ以降、箱体１００の接地面積を大きくするまでの手順は、大きく分けて３アクションの工程からなる。すなわち、（１）側壁を押し込む工程、（２）底壁を持ち上げる工程、（３）上げ底状態を安定させる工程、である。
これらの工程は、パウチＰを箱体１００に収納したまま行ってもよいし、パウチＰを一旦取り出して行ってもよい。
【００２２】
（１）側壁を押し込む工程
箱体の左右の側壁３０を、側壁下方折罫３１の部位において箱体内方に向かって押し込む。これにより、側壁下方折罫３１が谷折り状態となって落ち込み、対向する２つの主壁１０の間隔が大きくなる（図４）。
図４から分かるように、この「側壁３０の落ち込み」については、「側壁下方折罫３１」、「側壁上方折罫３２」、「主壁下方折罫１１」、「第１傾斜折罫２１」、「第２傾斜折罫２２」が寄与している。
「側壁下方折罫３１」および「主壁下方折罫１１」は、一直線状に谷折り状態となっており、また、「側壁上方折罫３２」、「第１傾斜折罫２１」、「第２傾斜折罫２２」は、それぞれ、山折り状態となっている。
【００２３】
またこのとき、「垂直折罫１５」および「第３傾斜折罫２３」が山折り状態に、「主壁上方折罫１２」が谷折り状態に、それぞれ折り目が入ることで、破り開けた開口部においても、２つの主壁１０の間隔が大きくなって当該開口部が略楕円形に大きく開口した状態が維持される。
すなわち、「主壁上方折罫１２」、「垂直折罫１５」、「第３傾斜折罫２３」の３つの折罫は、破り開けた開口部を、大きく開口した状態に維持することに寄与している。
【００２４】
（２）底壁を持ち上げる工程
次に、消費者は、底壁４０を持ち上げるようにして、主壁中央折罫１４に山折り状の折り目を入れる。これにより、箱体底部においても２つの主壁１０の間隔が大きくなって箱体の接地面積が大きくなった状態が維持される（図５）。
すなわち、「主壁中央折罫１４」は、２つの主壁１０の間隔が大きくなって箱体の接地面積が大きくなった状態を維持することに寄与している。
【００２５】
（３）上げ底状態を安定させる工程
底壁を持ち上げたことによって、箱体の下方両端には、斜め下方に向かって突出するフラップＦが現れる（図５）。このフラップＦを上方へ折り返すようにクセを付けてやると、接地面積が拡大した状態をさらに安定して維持することができる（図６）。
この上方への折り返しを容易にする目的で、「第２垂直折罫１６」および「底壁折罫４１」を設けている。すなわち、図６に示されるように、上げ底状態においては、箱の底面で「第２垂直折罫１６」および「底壁折罫４１」が一直線状となり、これらを山折り状とすることで、上方への折り返しをスムーズに行うことができる。
【００２６】
なお、パウチに封入される食材自体の重量により、接地面積が大きくなった状態を十分に維持することもできるので（図７参照）、この第３の工程は、必ずしも必要ではなく、省略することも可能である。
したがって、「第２垂直折罫１６」および「底壁折罫４１」は、場合によっては省略可能である。
【００２７】
≪箱体の用途≫
本発明の箱体１００は、食材を封入したパウチＰを収容して、当該パウチの自立性を補助する。一例として、パウチＰが電子レンジで加熱調理する食材を封入している場合であれば、図５あるいは図６の状態にある箱体内に、パウチＰを部分的に開封した状態で保持して、箱体ごと電子レンジに投入して加熱調理する。加熱終了後、パウチＰを箱体１００に入れたまま、さらに大きく開封し、これを喫食することができる（図７）。勿論、加熱調理後に他の皿や丼鉢等に移し代えて喫食することも可能である。
また、別例として、電子レンジによる調理とは無関係な用途に使用することも可能である。例えば、牛乳をかけて喫食するシリアル食品をパウチＰ内に封入し、これを箱体１００に入れて販売する。消費者は、図７に示したように、開封状態にあるパウチＰを箱体１００内に保持し、ここに牛乳を注ぎ込んだ後で喫食する。
【００２８】
≪第２実施形態：図８、図９≫
次に図８、図９を参照して、本発明の第２実施形態を説明する。図８は、箱体２００の正面図を示しており、第１実施形態の図２に対応する。また、図９は、第１実施形態の図４に対応するもので、側壁を押し込んだ状態を示している。
【００２９】
第２実施形態の箱体２００が第１実施形態と本質的に異なる点は、主壁１０上で、主壁中央折罫１４の下方側に主壁中央第２折罫１４ａを追加的に設けており、この主壁中央第２折罫１４ａの湾曲頂部に、切込み２５を形成していることである。
主壁中央第２折罫１４ａは、左右の主壁下方折罫１１の内端を結ぶように延びていて、下方に膨出するアーチ状に湾曲している。また、切込み２５は、主壁中央第２折罫１４ａの湾曲頂部において、下方に膨出するようにアーチ状に湾曲している。
切込み２５は、後述するように、箱体２００の自立性を高める安定フラップ２５ａを規定するもので、壁部を貫通して形成されている。
【００３０】
箱体２００の使用方法は、既に第１実施形態で上述したものと実質的に同じである。ただし、上記（１）側壁を押し込む工程において、側壁を押し込んで対向する２つの主壁１０の間隔を大きくしたとき、主壁中央第２折罫１４ａに折り目が入るとともに、安定フラップ２５ａが立ち上がる（図９）。
図９から分かるように、安定フラップ２５ａは、箱体の両サイドから下方に向かって突出し、したがって、箱体を立てたときに側方への転倒を防ぎ、自立性を高める。
【００３１】
つまり、上記（２）底壁を持ち上げる工程において、主壁中央折罫１４に対して、それほどキッチリとした折り目が入らなかった場合であっても、十分な自立性を確保できる。
また、（３）上げ底状態を安定させる工程は、第１実施形態においても省略可能であったが、安定フラップ２５ａを備えた第２実施形態では、その省略可能性がさらに高まる。
【図面の簡単な説明】
【００３２】
【図１】本発明の第１実施形態に係る箱体の下方斜視図。
【図２】図１の箱体の正面図。
【図３】図１の状態から箱体上部を破り開けた状態を示す下方斜視図。
【図４】箱体の側壁を押し込んだ状態を示す斜視図。
【図５】図４の状態から底壁を持ち上げた状態を示す斜視図。
【図６】図５の状態から下方に現れたフラップを上方に折り返した状態を示す斜視図。
【図７】喫食状態を示す斜視図。
【図８】本発明の第２実施形態に係る箱体の正面図。
【図９】図８の箱体において、安定フラップが立ち上がった状態を示す斜視図。
【符号の説明】
【００３３】
１０  主壁
１１  主壁下方折罫
１２  主壁上方折罫
１４  主壁中央折罫
１４ａ  主壁中央第２折罫
１５  垂直折罫
１６  第２垂直折罫
２１  第１傾斜折罫
２２  第２傾斜折罫
２３  第３傾斜折罫
２５  切込み
２５ａ  安定フラップ
３０  側壁
３１  側壁下方折罫
３２  側壁上方折罫
４０  底壁
４１  底壁折罫
８０  破断開封部
１００、２００  箱体
【図１】
0004940183.tif 000002
【図２】
0004940183.tif 000003
【図３】
0004940183.tif 000004
【図４】
0004940183.tif 000005
【図５】
0004940183.tif 000006
【図６】
0004940183.tif 000007
【図７】
0004940183.tif 000008
【図８】
0004940183.tif 000009
【図９】
0004940183.tif 000010